(57)【要約】【課題】軽量化が可能で放熱性能に優れ、製造コストが安価で明るい照明装置を提供することにある。【解決手段】照明装置１は照明ユニット２と取付用ステー３とを備え、照明ユニット２はガスケット２０を挟んで、中央部にレンズ部１１を有するカバーレンズ１０と裏面に複数の放熱フィン４７が取り付けられた基台プレート４０とで形成された防水空間４内に、少なくともＬＥＤ光源３２が実装された基板Ａｓｓｙ３０が挟持されており、上記構成の照明ユニット２が該照明ユニット２の放熱フィン４７ａに連結された取付用ステー３に可動可能に支持されている。そして、基台プレート４０、放熱フィン４７及び取付用ステー３のいずれもが金属板の板金加工によって形成されている。【選択図】図１
2019003770.tif 000002
【特許請求の範囲】
【請求項１】
照明ユニットと取付用ステーとを備え、
前記照明ユニットは、中央部にレンズ部を有するカバーレンズ、裏面に複数の放熱フィンが取り付けられた基台プレート及び基板に少なくともＬＥＤ光源が実装されてなる基板Ａｓｓｙとを備え、
前記カバーレンズと前記基台プレートとがガスケットを挟んで一体化することにより形成された防水空間内に、前記カバーレンズ及び前記基台プレートの夫々の内面で挟持された状態で前記基板Ａｓｓｙが収容され、
前記照明ユニットが、該照明ユニットの前記放熱フィンに連結された前記取付用ステーに可動可能に支持され、
前記基台プレート、前記放熱フィン及び前記取付用ステーのいずれもが金属板の加工品からなることを特徴とする照明装置。
【請求項２】
前記基台プレートは、低板部の中央部が前記カバーレンズ側に盛り上がった平坦面を有する底上げ部を備え、前記基板が前記底上げ部の前記平坦面に面接触した状態にあると共に、前記放熱フィンが前記底上げ部の裏面に取り付けられていることを特徴とする請求項１に記載の照明装置。
【請求項３】
前記ガスケットは、前記基台プレートの前記低板部の周縁部に配置されていることを特徴とする請求項２に記載の照明装置。
【発明の詳細な説明】
【技術分野】
【０００１】
本発明は、照明装置に関するものであり、詳しくは、点灯（発光）時に発熱を伴う複数のＬＥＤを光源として用いることにより放熱手段を必要とする照明装置に関する。
【背景技術】
【０００２】
従来、この種の照明装置としては、特許文献１に「照明器具」の名称で開示されたものがある。
【０００３】
開示された照明器具は複数の照明ユニット８０を備えており、夫々の照明ユニット８０は図７にあるように、複数のフィン部８１がアルミダイカストによって筐体８２の本体部８３に一体に成形されており、本体部８３には更に多数の金属板状の放熱フィン８４を備えた放熱フィンユニット８５が別体に取り付けられている。
【０００４】
そして、複数のＬＥＤ素子からなり発光面８６を有する発光部８７が光源基板８８に配置されてなる光源８９が、照明ユニット８０の光出力の設計値に応じた数だけ、筐体８２の底面に凸状に設けられた取付台座に配置されている。
【０００５】
これにより、ＬＥＤ素子の発光時（発光部の点灯時）にＬＥＤ素子の発熱を、本体部８３、本体部８３に一体成形されたフィン部８１及び放熱フィンユニット８５によって放熱してＬＥＤ素子の温度上昇を抑制するものである。
【先行技術文献】
【特許文献】
【０００６】
【特許文献１】特開２０１７−４６２０号
【発明の概要】
【発明が解決しようとする課題】
【０００７】
ところで、上記構成からなる照明ユニット８０は、筐体８２がアルミダイカストによって成形されたものであるため、その製法上フィン部８１の肉厚の薄肉化に限界がある。そのため、筐体８１の大きさに対してフィン部８１の数が制約されてフィン部８１における総放熱面積が制限され、フィン部８１による放熱性能に限度が生じることになる。
【０００８】
その結果、光源のＬＥＤ素子の発光（点灯）時の自己発熱による温度上昇によって、ＬＥＤ素子の発光効率の低下や素子寿命の低下を招く。
【０００９】
また、アルミダイカストで成形された筐体８２は、重量が重く且つアルミニウムの材料コスト及び鋳造金型の金型製造コスト等の製造コストが高額になる。
【００１０】
そこで、本発明は上記問題に鑑みて創案なされたもので、その目的とするところは、軽量化が可能で放熱性能に優れ、製造コストが安価で明るい照明装置を提供することにある。
【課題を解決するための手段】
【００１１】
上記課題を解決するために、本発明の請求項１に記載された発明は、照明ユニットと取付用ステーとを備え、前記照明ユニットは、中央部にレンズ部を有するカバーレンズ、裏面に複数の放熱フィンが取り付けられた基台プレート及び基板に少なくともＬＥＤ光源が実装されてなる基板Ａｓｓｙとを備え、前記カバーレンズと前記基台プレートとがガスケットを挟んで一体化することにより形成された防水空間内に、前記カバーレンズ及び前記基台プレートの夫々の内面で挟持された状態で前記基板Ａｓｓｙが収容され、前記照明ユニットが、該照明ユニットの前記放熱フィンに連結された前記取付用ステーに可動可能に支持され、前記基台プレート、前記放熱フィン及び前記取付用ステーのいずれもが金属板の加工品からなることを特徴とするものである。
【００１２】
また、本発明の請求項２に記載された発明は、請求項１において、前記基台プレートは、低板部の中央部が前記カバーレンズ側に盛り上がった平坦面を有する底上げ部を備え、前記基板が前記底上げ部の前記平坦面に面接触した状態にあると共に、前記放熱フィンが前記底上げ部の裏面に取り付けられていることを特徴とするものである。
【００１３】
また、本発明の請求項３に記載された発明は、請求項２において、前記ガスケットは、前記基台プレートの前記低板部の周縁部に配置されていることを特徴とするものである。
【発明の効果】
【００１４】
本発明によれば、ＬＥＤ光源の点灯時の発熱が、基台プレート、放熱フィン及び取付用ステーを順次伝導されて放熱フィン及び取付用ステーを介して外部に放熱される構成とした。同時に、熱が伝導する基台プレート、放熱フィン及び取付用ステーの夫々を金属板の板金加工によって形成した。
【００１５】
このように、照明装置を優れた放熱性を有する構成とすることにより、ＬＥＤ光源の発光時の自己発熱による温度上昇を良好に抑制することができる。その結果、ＬＥＤ光源の温度上昇に起因するＬＥＤ素子の発光効率の低減による発光光量の減少が抑えられると共に、同様にＬＥＤ光源の温度上昇に起因するＬＥＤ素子の劣化による素子寿命の短縮を抑制することが可能となる。
【００１６】
また、照明装置が優れた放熱性を有することにより、ＬＥＤ光源を点灯（駆動）する駆動電流の電流値を高く設定することができる。その結果、ＬＥＤ光源からの出射光の光量が増大して照射光量の多い明るい照明装置が実現できる。
【００１７】
また、ＬＥＤ光源からの熱が伝導する基台プレート、放熱フィン及び取付用ステーの夫々を金属板の板金加工によりダイカスト法で形成した場合と比較しては照明装置の軽量化を図ることができる。そのため、運搬時等のハンドリングが容易になると共に、据え付け固定が簡易な支持機構によって可能となる。
【００１８】
また、ダイカスト法に係る金属材料のコスト及び鋳造金型の金型製造コストに対して、板金加工に係る材料コスト及び打ち抜き型、曲げ型の製造コストの方が安い。そのため、照明装置の低コスト化も実現できる。
【図面の簡単な説明】
【００１９】
【図１】照明ユニットを斜め上方から見た分解斜視図である。
【図２】照明ユニットの縦断面図である。
【図３】照明装置を後方斜め上方から見た斜視図である。
【図４】カバーレンズの縦断面図である。
【図５】照明ユニットの縦断面図を用いた熱伝導の説明図である。
【図６】照明装置の背面図を用いた熱伝導の説明図である。
【図７】従来例の説明図である。
【発明を実施するための形態】
【００２０】
以下、この発明の好適な実施形態を図１〜図６を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２１】
図１は本発明の照明装置を構成する照明ユニットを前方斜め上方から見た分解斜視図、図２は照明ユニットの縦断面図、図３は照明装置を後方斜め上方から見た斜視図、図４はカバーレンズの縦断面図である。
【００２２】
照明装置１（図１参照）は主に、照明ユニット２と照明ユニット２を取り付ける取付用ステー３を備えており、そのうち照明ユニット２は主に、カバーレンズ１０、ガスケット２０、基板Ａｓｓｙ３０、基台プレート４０及びボルト６０を備えている。
【００２３】
カバーレンズ１０は、ポリカーボネート樹脂やアクリル樹脂等の透明樹脂で形成され、中央部に位置して光の光路制御を行う、前方に凸の湾曲面を有するレンズ部１１と、レンズ部１１の外周縁部から該外周縁部に沿って後方に向って環状に延びる略筒状の側壁部１２を備えている。側壁部１２には、後述する複数のボルト６０の雄ネジに対応（螺嵌）する雌ネジのネジ孔１３が、周状に所定の間隔で後端側から前方に向かって延設されている。
【００２４】
カバーレンズ１０の後方側の面（内面）は、図４に示すように、レンズ部１１の前面の光出射面１４の対向面に、後述するＬＥＤ光源３２からの出射光を拡散するためのレンズカット面１５が設けられており、レンズカット面１５から一段下がった位置に、後述する基板３１の表面（ＬＥＤ光源３２の実装面）の周縁部が当接する基板当接部１６が環状に形成されている。
【００２５】
また、側壁部１２の、周状に設けられたネジ孔１３の外側に、後述するガスケット２０が収容されるガスケット収容溝１７が側壁部１２に沿って環状に設けられている
【００２６】
ガスケット２０は、例えばシリコンゴム等の弾力性を有する材料を用いて環状に形成されている。
【００２７】
基板Ａｓｓｙ３０は、基板３１と、基板３１に実装された複数のＬＥＤ光源３２及び電流制限抵抗３３と、基板３１から引き出された電源コード３４とを有している。
【００２８】
基板３１は、本実施形態においてはガラスエポキシ基板（ＦＲ−４）が用いられているが、ガラスコンポジット基板（ＣＥＭ−３）やアルミニウム等の金属材料からなる金属基板あるいはセラミック材料からなるセラミック基板等が適宜選択して用いられる。
【００２９】
基板３１には、複数の表面実装型のＬＥＤ光源３２が所定の位置に実装され、同時に、ＬＥＤ光源３２の点灯時に該ＬＥＤ光源３２に流れる電流を適宜な電流値に制限する電流制限抵抗３３も実装されている。また、基板３１からは、ＬＥＤ光源３２の点灯時に外部電源からＬＥＤ光源３２に電力を供給する電源コード３４が引き出されており、該電源コード３４が通る切欠き部３５及びボルト６０が通る切欠き部３６も基板３１に設けられている。
【００３０】
基台プレート４０は、アルミニウム等の金属板にプレス板金加工が施されて中央部が盛り上がった平坦面に成形されている。換言すると、外周部に平板状の低板部４１を有し、中央部に低板部４１から盛り上がった平板状の底上げ部４２を有している。
【００３１】
低板部４１には、ボルト６０が挿通するボルト挿通孔４３、電源コード３４が挿通するコード挿通孔４４及び呼吸キャップを装着する呼吸キャップ装着孔４５が設けられている。
【００３２】
上記、カバーレンズ１０、ガスケット２０、基板Ａｓｓｙ３０、基台プレート４０及びボルト６０を備えた照明ユニット２は、以下のように組み上げられている（図２参照）。
【００３３】
カバーレンズ１０のガスケット収容溝１７にガスケット２０が収容されて該ガスケット収容溝１７の底面１７ａと基台プレート４０の低板部４１の周縁部の表面５０との間にガスケット２０を挟んでボルト（図示せず）によってカバーレンズ１０に基台プレート４０を加圧固定して一体化することにより防水構造が形成され、カバーレンズ１０、基台プレート４０及びガスケット２０で構成された防水空間４内に基板Ａｓｓｙ３０が収容されている。
【００３４】
基板Ａｓｓｙ３０は、裏面（ＬＥＤ光源３２等の電子部品が実装された面と反対側の面）が基台プレート４０の底上げ部４２の平坦面からなる表面４２ａ上に面接触で当接し、表面（ＬＥＤ光源３２等の電子部品が実装された面）のＬＥＤ光源３２、電流制限抵抗３３及び電源コード３４の引出し部を逃げた外周縁の領域がカバーレンズ１０の基板当接部１６に面接触で当節している。換言すると、基板Ａｓｓｙ３０が、基台プレート４０の底上げ部４２の表面４２ａとカバーレンズ１０の基板当接部１６とで挟持されている。
【００３５】
また、呼吸キャップ装着孔４５には、ゴムやエラストマー等の弾性部材により形成された呼吸キャップ５５が装着されている。
【００３６】
基台プレート４０の底上げ部４２の裏面４２ｂには図３に示すように、アルミニウム等の金属板の打ち抜き及び曲げ板金加工が施された複数の放熱フィン４７からなる放熱フィン群４８が設けられている。放熱フィン群４８は、上下方向に沿って延びる放熱フィン４７が横方向に所定の間隔で基台プレート４０の底上げ部４２の裏面４２ｂにカシメダボ４９によって並設されている。
【００３７】
上記構成の照明ユニット２は、基台プレート４０の底上げ部４２の裏面４２ｂに設けられた複数の放熱フィン４７のうち一対の放熱フィン４７ａの間に配置された金属製で筒状のスペーサ７０内を挿通する連結ボルト７１を介して照明ユニット２の取付用ステー３に回動可能に連結されている。
【００３８】
連結ボルト７１に接する放熱フィン４７と取付用ステー３に接する放熱フィン４７ａは、互いに接する異なる放熱フィン４７ａであってもよい。つまり連結ボルト７１と取付用ステー３の間に複数の放熱フィン４７ａが介在する構成であってもよい。この構成とすることで取付用ステー３と照明ユニット２との連結を確実なものとすると同時に、放熱フィン４７ａの荷重による変形を抑制し耐久性を高めることができる。
【００３９】
そこで（図５（照明ユニットの縦断面図）参照）、外部電源から電源コード３４を介して基板３１に実装された電流制限抵抗３３を通して同じく基板３１に実装された複数のＬＥＤ光源３２に電力が供給されると複数のＬＥＤ光源３２が点灯して光Ｌが出射される。
【００４０】
ＬＥＤ光源３２から出射された光Ｌは、前方に位置するカバーレンズ１０に向かい、カバーレンズ１０のレンズ部１１によって光路制御されることにより所定の配光特性を有する光が前方に向けて照射される。
【００４１】
ＬＥＤ光源３２は点灯時に光と同時に熱も発生する。ＬＥＤ光源３２の発熱ＨはＬＥＤ光源３２が実装された基板３１に伝導され、基板３１から該基板３１が面接触で当接する基台プレート４０の底上げ部４２に伝導され、底上げ部４２から基台プレート４０内を放熱フィン群４８に向けて伝導される。
【００４２】
そして（図６（照明装置の背面図）参照）、放熱フィン群４８を構成する各放熱フィン４７に伝導された熱Ｈは、該放熱フィン４７の両面から外部に放散される。そのうち、一対の放熱フィン４７ａにおいては、伝導された熱Ｈが夫々の放熱フィン４７ａ自体の両面から外部に放散されると共に放熱フィン４７ａに連結された取付用ステー３に伝導されて該取付用ステー３からも外部に放散される。
【００４３】
更に、取付用ステー３に伝導された熱Ｈは、図示しないが、取付用ステー３が取り付けられた取付け部材にも伝導されて放熱に寄与する。
【００４４】
以上より、複数のＬＥＤ光源３２の点灯時の発熱が、基板３１及び基台プレート４０を伝導された熱が基台プレート４０に複数の放熱フィン４７、一対の放熱フィン４７ａに連結された取付用ステー３及び取付用ステー３が取り付けられた取付け部材を介して効率的に放熱される。
【００４５】
このように、照明装置を優れた放熱性を有する構成とすることにより、ＬＥＤ光源３２の発光時の自己発熱による温度上昇を良好に抑制することができる。その結果、ＬＥＤ光源３２の温度上昇に起因するＬＥＤ素子の発光効率の低減による発光光量の減少が抑えられると共に、同様にＬＥＤ光源３２の温度上昇に起因するＬＥＤ素子の劣化による素子寿命の短縮を抑制することが可能となる。
【００４６】
また、照明装置が優れた放熱性を有することにより、ＬＥＤ光源を点灯（駆動）する駆動電流の電流値を高く設定することができる。その結果、ＬＥＤ光源からの出射光の光量が増大して照射光量の多い明るい照明装置が実現できる。
【００４７】
上述したように、本願発明の照明装置は、基台プレート４０や放熱フィン４７等の放熱に係る部材を金属（アルミニウム）のダイカスト法では成形しておらず、代わって金属板の板金加工によって形成している。その結果、照明装置の軽量化が図れるため、運搬時等のハンドリングが容易になると共に、据え付け固定が簡易な支持機構によって可能となる。
【００４８】
また、ダイカスト法に係る金属材料のコスト及び鋳造金型の金型製造コストに対して、板金加工に係る材料コスト及び打ち抜き型、曲げ型の製造コストの方が安い。そのため、照明装置の低コスト化を実現することができる。
【符号の説明】
【００４９】
１…  照明装置
２…  照明ユニット
３…  取付用ステー
４…  防水空間
１０…  カバーレンズ
１１…  レンズ部
１２…  側壁部
１３…  ネジ孔
１４…  光出射面
１５…  レンズカット面
１６…  基板当接部
１７…  ガスケット収容溝
１７ａ…  底面
２０…  ガスケット
３０…  基板Ａｓｓｙ
３１…  基板
３２…  ＬＥＤ光源
３３…  電流制限抵抗
３４…  電源コード
３５…  切欠き部
３６…  切欠き部４０…  基台プレート
４１…  低板部
４２…  底上げ部
４２ａ…  表面
４２ｂ…  裏面
４３…  ボルト挿通孔
４４…  コード挿通孔
４５…  呼吸キャップ装着孔
４７…  放熱フィン
４７ａ…  放熱フィン
４８…  放熱フィン群
４９…  カシメダボ
５０…  表面
５５…  呼吸キャップ
６０…  ボルト
７０…  スペーサ
７１…  連結ボルト
【図１】
2019003770.tif 000003
【図２】
2019003770.tif 000004
【図３】
2019003770.tif 000005
【図４】
2019003770.tif 000006
【図５】
2019003770.tif 000007
【図６】
2019003770.tif 000008
【図７】
2019003770.tif 000009